(57)【要約】【課題】異なる内径の数種類のパイプに対しても一定の保持力を有して換気装置の取り付けができるセッティングリングを提供する。【解決手段】換気口１７に設けられるパイプ１６に挿入される換気装置の筒部８に装着され、パイプ１６の内面を圧接する弾力性のあるセッティングリング６は、換気装置の筒部８が挿入される略中央の開口１と、この開口１の周縁に形成され筒部８に装着される基部２と、基部２から外方へ膨出するリップ６ａとを備え、リップ６ａには他部より大きく膨出するつば部４を形成する構成としたものである。【選択図】　図１
2004125239.tif 000002
【特許請求の範囲】
【請求項１】
換気口に設けられるパイプに挿入される換気装置の筒部に装着され、前記パイプの内面を圧接する弾力性のあるセッティングリングであって、前記換気装置の筒部が挿入される略中央の開口と、この開口の周縁に形成され前記筒部に装着される基部と、この基部から外方へ膨出するリップとを備え、前記リップには他部より大きく膨出するつば部を形成したことを特徴とするセッティングリング。
【請求項２】
換気口に設けられるパイプに挿入される換気装置の筒部に装着され、前記パイプの内面を圧接する弾力性のあるセッティングリングであって、前記換気装置の筒部が挿入される略中央の開口と、この開口の周縁に形成され前記筒部に装着される基部と、この基部から外方へ膨出するリップとを備え、前記リップは前記開口の全周に渡って形成され、前記開口に対して偏芯して形成されることを特徴とするセッティングリング。
【請求項３】
開口をはさんでつば部の反対側には、前記つば部より膨出量の小さい舌部を形成し、前記つば部の膨出量は前記舌部の膨出量の３倍以上であることを特徴とする請求項１記載のセッティングリング。
【請求項４】
セッティングリングはショアーＡ硬度４０度から６５度の弾性材料で形成されることを特徴とする請求項１、２、または３記載のセッティングリング。
【請求項５】
リップは、軸方向に並列するように複数設けられていることを特徴とする請求項１、２、３、または４記載のセッティングリング。
【請求項６】
換気通路を形成するために換気口に設けられるパイプに挿入される筒部と、この筒部に装着され、前記筒部を前記パイプに保持するように、外方に膨出し前記パイプの内面を圧接する弾力性のあるリップを形成したセッティングリングと、前記筒部の端部に外方に突出して設けられ壁面と当接するフランジ部とを備え、前記リップは他部より大きく外方へ膨出するつば部を有することを特徴とする換気装置。
【請求項７】
換気通路を形成するために換気口に設けられるパイプに挿入される筒部と、この筒部に装着される基部を有し、前記筒部を前記パイプに保持するように前記基部から外方に膨出し前記パイプの内面を圧接する弾力性のあるリップを有するセッティングリングと、前記筒部の端部に外方に突出して設けられ壁面と当接するフランジとを備え、前記リップは前記基部の全周に渡って形成され、前記筒部に対して偏芯して形成されることを特徴とする換気装置。
【請求項８】
リップはパイプへの挿入方向と逆方向に傾斜していることを特徴とする請求項６または７記載の換気装置。
【請求項９】
セッティングリングの略中央に形成された開口から外方へ膨出するリップの他部より大きく膨出するつば部を上側に位置させ、前記つば部より膨出量の小さい舌部を下側に位置させるように、前記セッティングリングを換気装置の筒部に装着し、換気口に設けられるパイプに、前記つば部を上側に、前記舌部を下側になるようにして換気装置の筒部を挿入し、前記リップをパイプの内面に圧接させて換気装置を換気口に取り付ける換気装置の取付方法。
【発明の詳細な説明】
【０００１】
【発明の属する技術分野】
本発明は、換気装置を換気口に取り付けるために換気口に設けられたパイプと換気装置の間に介在させるセッティングリングおよびこのセッティングリングにより取り付けられる換気装置に関する。
【０００２】
【従来の技術】
従来のセッティングリングおよびこれにより取り付けられる換気装置は、換気装置の基管部の外周にパイプの内面へ圧接する弾力性のある鍔片を備えたリングを嵌合したものがあり、さらに前記リングとともにシールリングを併用したものがあった（例えば、特許文献１参照。）。
【０００３】
【特許文献１】
実開昭６３−１６５４２６号公報（第１図および第３図）
【０００４】
【発明が解決しようとする課題】
以上のように従来のセッティングリングおよびこれにより取り付けられる換気装置は、換気装置の基管部の外径よりも大きい内径を有する塩化ビニル管に換気装置の基管部を挿入して保持することを目的としているが、例えば、塩化ビニル管の中でもＶＰ管とＶＵ管のように内径の異なるものに装着するときには、内径のより大きいＶＵ管についてはシールリングを併用して、弾力性のある鍔片をさらに大きく外方に広げることによってパイプ内面への圧接力を増加させて保持する必要があり、別途部材を必要とするという課題があった。
【０００５】
本発明はこのような従来の課題を解決するものであり、換気装置の筒部が挿入されるパイプの内径として異なる内径の数種類のパイプに対しても一定の保持力を有して換気装置の取り付けができるセッティングリングおよびこれにより取り付けられる換気装置を提供することを目的とする。
【０００６】
【課題を解決するための手段】
前記従来の課題を解決するために、本発明のセッティングリングは、換気口に設けられるパイプに挿入される換気装置の筒部に装着され、前記パイプの内面を圧接する弾力性のあるセッティングリングであって、前記換気装置の筒部が挿入される略中央の開口と、この開口の周縁に形成され前記筒部に装着される基部と、この基部から外方へ膨出するリップとを備え、前記リップには他部より大きく膨出するつば部を形成したことを特徴としたものである。
【０００７】
また、本発明のセッティングリングは、換気口に設けられるパイプに挿入される換気装置の筒部に装着され、前記パイプの内面を圧接する弾力性のあるセッティングリングであって、前記換気装置の筒部が挿入される略中央の開口と、この開口の周縁に形成され前記筒部に装着される基部と、この基部から外方へ膨出するリップとを備え、前記リップは前記開口の全周に渡って形成され、前記開口に対して偏芯して形成されることを特徴としたものである。
【０００８】
また、本発明のセッティングリングは、開口をはさんでつば部の反対側には、前記つば部より膨出量の小さい舌部を形成し、前記つば部の膨出量は前記舌部の膨出量の３倍以上であることを特徴としたものである。
【０００９】
また、本発明のセッティングリングは、ショアーＡ硬度４０度から６５度の弾性材料で形成されることを特徴としたものである。
【００１０】
また、本発明のセッティングリングは、軸方向に並列するように複数のリップを設けることを特徴としたものである。
【００１１】
また、本発明のセッティングリングにより取り付けられる換気装置は、換気通路を形成するために換気口に設けられるパイプに挿入される筒部と、この筒部に装着され、前記筒部を前記パイプに保持するように、外方に膨出し前記パイプの内面を圧接する弾力性のあるリップを形成したセッティングリングと、前記筒部の端部に外方に突出して設けられ壁面と当接するフランジ部とを備え、前記リップは他部より大きく外方へ膨出するつば部を有することを特徴としたものである。
【００１２】
また、本発明のセッティングリングにより取り付けられる換気装置は、換気通路を形成するために換気口に設けられるパイプに挿入される筒部と、この筒部に装着される基部を有し、前記筒部を前記パイプに保持するように前記基部から外方に膨出し前記パイプの内面を圧接する弾力性のあるリップを有するセッティングリングと、前記筒部の端部に外方に突出して設けられ壁面と当接するフランジとを備え、前記リップは前記基部の全周に渡って形成され、前記筒部に対して偏芯して形成されることを特徴としたものである。
【００１３】
また、本発明のセッティングリングにより取り付けられる換気装置は、リップがパイプへの挿入方向と逆方向に傾斜していることを特徴としたものである。
【００１４】
また、本発明の換気装置の取付方法は、セッティングリングの略中央に形成された開口から外方へ膨出するリップの他部より大きく膨出するつば部を上側に位置させ、前記つば部より膨出量の小さい舌部を下側に位置させるように、前記セッティングリングを換気装置の筒部に装着し、換気口に設けられるパイプに、前記つば部を上側に、前記舌部を下側になるようにして換気装置の筒部を挿入し、前記リップをパイプの内面に圧接させて換気装置を換気口に取り付けるものである。
【００１５】
【発明の実施の形態】
請求項１記載のセッティングリングの発明は、換気装置の筒部が挿入される略中央の開口と、前記筒部に装着される基部と、この基部から外方へ膨出するリップとを備え、前記リップには他部より大きく膨出するつば部を形成したことにより、換気口に設けられたパイプの内面に圧接するつば部の変形度合いを、例えばパイプがＶＰ管の場合には大きく変形させ、ＶＰ管より内径の大きいＶＵ管の場合には小さく変形させることで、異なる内径の数種類のパイプに対しても一定の保持力を有して換気装置の取り付け可能なセッティングリングを提供することができる。
【００１６】
請求項２記載のセッティングリングの発明は、リップは開口の全周に渡って形成され、前記開口に対して偏芯して形成されることにより、換気口に設けられたパイプの内面に圧接するつば部の変形度合いを、例えばパイプがＶＰ管の場合には大きく変形し、ＶＰ管より内径の大きいＶＵ管の場合には小さく変形させることで、異なる内径の数種類のパイプに対しても一定の保持力を有して換気装置の取り付けが可能となり、パイプの内面にリップが密着してシールされるので気密性能または水密性能を向上させることができるセッティングリングを提供できる。
【００１７】
請求項３記載のセッティングリングの発明は、特に請求項１記載のセッティングリングを、開口をはさんでつば部の反対側には、前記つば部より膨出量の小さい舌部を形成し、前記つば部の膨出量は前記舌部の膨出量の３倍以上にしたことにより、換気装置の重量が大きく、パイプ内面へのリップの押圧力が大きくても舌部の変形をつば部の変形よりも小さくできるので換気装置のパイプへの挿入をスムーズに行うことができるセッティングリングを提供できる。
【００１８】
請求項４記載のセッティングリングの発明は、特に請求項１、２、または３記載のセッティングリングを、ショアーＡ硬度４０度から６５度の弾性材料で形成することにより、換気装置の筒部をＶＰ管に挿入する場合は、リップを可能な限り変形させることができ、ＶＵ管に挿入する場合は、保持性能を高めるため硬度を維持させることができる最適な硬度を有するセッティングリングを提供することができる。
【００１９】
請求項５記載のセッティングリングの発明は、特に請求項１、２、３または４記載のセッティングリングに、軸方向に並列するように複数のリップを設けたことにより、複数のリップのパイプ内面への圧接のため保持性能を向上させるとともに、換気装置のパイプからの抜け止め機能を有するセッティングリングを提供することができる。
【００２０】
請求項６記載の換気装置の発明は、換気通路を形成するために換気口に設けられるパイプに挿入される筒部と、この筒部に装着され、前記筒部を前記パイプに保持するように、外方に膨出し前記パイプの内面を圧接する弾力性のあるリップを形成したセッティングリングと、前記筒部の端部に外方に突出して設けられ壁面と当接するフランジ部とを備え、前記リップは他部より大きく外方へ膨出するつば部を有することにより、換気口に設けられたパイプの内面に圧接するつば部の変形度合いを、例えばパイプがＶＰ管の場合には大きく変形させ、ＶＰ管より内径の大きいＶＵ管の場合には小さく変形させることで、異なる内径の数種類のパイプに対しても一定の保持力を有する換気装置の取り付けが可能となる。
【００２１】
請求項７記載の換気装置の発明は、換気通路を形成するために換気口に設けられるパイプに挿入される筒部と、この筒部に装着される基部を有し、前記筒部を前記パイプに保持するように前記基部から外方に膨出し前記パイプの内面を圧接する弾力性のあるリップを有するセッティングリングと、前記筒部の端部に外方に突出して設けられ壁面と当接するフランジとを備え、前記リップは前記基部の全周に渡って形成され、前記筒部に対して偏芯して形成されることにより、換気口に設けられたパイプの内面に圧接するつば部の変形度合いを、例えばパイプがＶＰ管の場合には大きく変形し、ＶＰ管より内径の大きいＶＵ管の場合には小さく変形させることで、異なる内径の数種類のパイプに対しても一定の保持力を有して換気装置の取り付けが可能となり、パイプの内面にリップが密着してシールされるので気密性能または水密性能を向上させることができる。
【００２２】
請求項８記載の換気装置の発明は、特に請求項６または７記載の換気装置に、セッティングリングのリップをパイプへの挿入方向と逆方向に傾斜させることにより、換気装置の筒部をパイプに挿入するときの引っ掛かりがなく、スムーズに挿入動作が行え、さらに抜け止め効果により保持性能を向上させることができる。
【００２３】
請求項９記載の発明は、セッティングリングの略中央に形成された開口から外方へ膨出するリップの他部より大きく膨出するつば部を上側に位置させ、前記つば部より膨出量の小さい舌部を下側に位置させるように、前記セッティングリングを換気装置の筒部に装着し、換気口に設けられるパイプに、前記つば部を上側に、前記舌部を下側になるようにして換気装置の筒部を挿入し、前記リップをパイプの内面に圧接させて換気装置を換気口に取り付ける換気装置の取付方法としたことにより、換気装置の筒部をパイプに挿入したとき、換気装置の自重によって押圧力が最も大きくなるパイプ内面の底部に膨出量の小さい舌部が確実に圧接されるので、リップの変形量が過剰状態とならず、一定の保持性能を得られる換気装置の取り付けが可能となる。
【００２４】
以下、本発明の実施の形態について、図１〜図６を参照しながら説明する。
【００２５】
（実施例１）
図１〜図３に示すように、セッティングリング６は、略中央に形成された開口１と、開口１の周縁に形成された基部２から外方へ放射状に膨出するリップ６ａと、リップ６ａに形成される他部より膨出量の大きいつば部４と、開口１をはさんでつば部４の反対側に形成された舌部５と、セッティングリング６の周方向の位置を規制するための位置規制部３とから構成される。開口１はセッティングリング６が装着される換気扇の筒部８の外径にほぼ等しい内径を有し、筒部８にセッティングリング６を装着したときに開口１の周縁が筒部８を押圧するような寸法および形状に形成されている。基部２は開口１の周縁に形成され、リップ６ａの土台となるべくリップ６ａの根元の肉厚より幅広に形成される。位置規制部３は、開口１の周縁に形成される凹部からなり、基部２の裏面側に軸方向に溝を形成し、内部にモーター９を設けた換気扇の筒部８の外周に形成される突出部７がこの溝に嵌り、セッティングリング６の周方向の位置が規制されることとなる。つば部４はリップ６ａの一部であり、リップ６ａの他部より大きく膨出し、その開口１からの半径方向の膨出寸法は、舌部５の半径方向の膨出寸法の３倍以上であるのが望ましい。リップ６ａの側断面形状は、根元が先端部より太い先細り形状で、図１のようにその外形は円形で、この円形の中心が開口１の中心に対して偏芯するように形成されている。このように偏芯させることにより、膨出量の大きいつば部４と、つば部４より膨出量の小さい舌部５とが形成され、後述する異なる内径の数種類のパイプに筒部８を取り付けるときに一定の保持力を発揮することができる。また、リップ６ａは開口１の全周に必ずしも連続的に形成されていなくてもよいが、開口１の全周に連続的に形成されていればパイプ１６に挿着したとき、パイプ１６の内面全周がリップ６ａにより密封されることになり、気密性および水密性が向上する。
【００２６】
セッティングリング６は、外力がかかることにより弾性変形する弾性材料からなり、例えば、エラストマー樹脂、クロロプレンゴム、ＥＰＤＭ、シリコン系ゴムが望ましい。これらの材料が望ましいのは、異なる内径の数種類のパイプに換気装置を取り付けするための一定以上の硬度を有するからである。また、その硬度はショアーＡ硬度４０度から６５度が望ましく、パイプ１６の内面にリップ６ａが圧接されたときのリップ６ａの変形度合いを一定の保持力を有するために適正状態に保つことができるからである。例えば、パイプ１６としてＶＰ管に換気扇の筒部８を挿入するときは、リップ６ａを大きく倒れさせるように変形させるので可能な限り硬度を低くし、逆にＶＵ管に挿入するときは、リップ６ａは小さく変形させて仮固定性能や保持力を維持するために硬度を高くすることが必要であり、このため前述のショアーＡ硬度４０度から６５度は最適な硬度である。
【００２７】
次に、換気扇を換気口１７に取り付ける方法について説明する。まず、換気扇は、換気通路を形成するために両端が開口し、モーター９を固定支持し、内径がモーター９の外径よりも大きい筒部８と、筒部８の端部に外方へ突出して形成され、壁部１３に当接して固定されるフランジ部１０と、略中央に通風のための開孔を有し、フランジ部１０の前面を覆うようにフランジ部１０に嵌合されるルーバー１１と、フランジ部１０の壁部１３の当接面にほぼ一直線上に少なくとも１対設けられ、ねじ等を嵌挿して、壁部１３に螺合するための固定孔１２とから構成される。この換気扇の筒部８の外周に、つば部４が上側に位置し、舌部５が下側に位置するように、セッティングリング６の周方向の位置を規制する位置規制部３が突出部７に嵌るように装着する。そして、換気口１７に設けられるパイプ１６に、つば部４を上側に、舌部５を下側になるようにして換気扇の筒部８を挿入すると、リップ６ａがパイプ１６の内面に確実に圧接することとなり換気扇が換気口１６に取り付けられる。
【００２８】
換気扇の筒部８を室内１４側から室外１５側に向けてパイプ１６に挿入すると、図３に示すように、セッティングリング６のリップ６ａは挿入方向と反対方向の室内１４側に倒れるように変形し、リップ６ａの弾性力でパイプ１６の内面が押圧され、リップ６ａがパイプ１６の内面に圧接されて換気扇がパイプ１６に対して保持される。パイプ１６として塩化ビニル管またはアルミフレキシブル管が使用されるが、パイプ１６がＶＰ管またはアルミフレキシブル管である場合には、その内径が約φ１００ｍｍと小さめであるので、リップ６ａのつば部４が大きく室内１４側に傾いた状態でリップ６ａの弾性力により保持される。またパイプ１６がＶＵ管である場合には、その内径が約φ１０７ｍｍと大きめであるので、ＶＰ管に挿入したときよりもリップ６ａの傾きは小さくなった状態でリップ６ａの弾性力により保持される。また、舌部５は、換気扇の自重により、つば部４よりも大きな押圧力を受けるので、つば部４よりもその膨出量を小さくすることで、舌部５の変形量はつば部４の変形量よりも小さくなり、換気扇の取り付けが安定するという効果を奏する。このようにリップ６ａに他部より外方への膨出量の大きいつば部４と、つば部４より膨出量の小さい舌部５を形成したので、つば部４の変形度合いにより、内径の大きい管とそれよりも内径の小さい管の両方に一定の保持力を有し、安定した換気口への取り付けが行うことができ、内径の異なる数種類のパイプに対応可能なセッティングリング６および換気装置を提供することができる。
【００２９】
また、パイプ１６がアルミフレキシブル管である場合には、セッティングリング６が弾性材料で形成されているので、軟らかいアルミフレキシブル管の内面を傷めずに換気扇の取付が行える。
【００３０】
そして、換気扇を運転すると、モーター９の駆動力によりファン１８が回転し、室内１４の空気を室外１５へ排気する気流が形成される。リップ６ａがパイプ１６の内面に圧接して換気扇が固定されることにより、ファン１８の回転から生じる振動を吸収したり、パイプ１６内に侵入した雨水等が室内１４に侵入するのを防止できることとなる。
【００３１】
また、図４に示すように、壁部１３に設けられた換気口１７の室外１５側に取り付けられる屋外フード１９の室内１４側に向けて突出する筒部２０に、セッティングリング６を装着し、筒部２０を換気口１７に設けられるパイプ１６に嵌挿して屋外フード１９を換気口１７に取り付けるように構成してもよい。このようにセッティングリング６を装着してパイプ１６に取り付けられる換気装置には、前述のファン１８とモーター９を有し、排気または給気する換気扇に限らず、屋外に取り付けられる屋外フード、または、室内の設けられ、内部にファンモーターを有しない給気端末口を含むものである。いずれの換気装置であっても、換気口に設けられるパイプに接続される筒部を有していれば、本発明のセッティングリング６を装着することにより、異なる内径の数種類のパイプに対する保持性能に関して同様の作用効果奏するものである。
【００３２】
このように本発明の実施の形態１のセッティングリングによれば、換気扇の筒部８が挿入される略中央の開口１と、筒部８に装着される基部２と、基部２から外方へ膨出するリップ６ａとを備え、リップ６ａには開口１から他部より大きく膨出するつば部４を形成したので、換気口１７に設けられたパイプ１６の内面に圧接するつば部４の変形度合いを、例えばパイプがＶＰ管の場合には大きく変形させ、ＶＰ管より内径の大きいＶＵ管の場合には小さく変形させることで、異なる内径の数種類のパイプに対しても一定の保持力を有して換気装置の取り付け可能となる。
【００３３】
また、リップ６ａは開口１の全周に渡って形成され、開口１に対して偏芯して形成されるので、換気口１７に設けられたパイプ１６の内面に圧接するつば部４の変形度合いを、例えばパイプがＶＰ管の場合には大きく変形し、ＶＰ管より内径の大きいＶＵ管の場合には小さく変形させることで、異なる内径の数種類のパイプに対しても一定の保持力を有して換気扇の取り付けが可能となり、パイプ１６の内面にリップ６ａが密着してシールされることにより気密性能または水密性能を向上させることができる。
【００３４】
また、つば部４の開口１をはさんだ反対側には、つば部４より膨出量の小さい舌部５を形成し、つば部４の膨出量は舌部５の膨出量の３倍以上にしたので、換気扇がモーター部品などにより自重が大きく、パイプ１６内面へのリップの押圧力が大きくても舌部５の変形をつば部４の変形よりも小さくできることにより、換気扇のパイプ１６への挿入をスムーズに行うことができる。
【００３５】
また、セッティングリング６をショアーＡ硬度４０度から６５度の弾性材料で形成したので、換気扇の筒部８をＶＰ管に挿入する場合は、リップ６ａを可能な限り変形させることができ、ＶＵ管に挿入する場合は、保持性能を高めるため硬度を維持させることができる最適な硬度を有するセッティングリングを提供することができる。
【００３６】
また、本発明の実施の形態１の換気装置によれば、換気通路を形成するために換気口１７に設けられるパイプ１６に挿入される筒部８と、この筒部８に装着され、筒部８をパイプ１６に保持するように、外方に膨出しパイプ１６の内面を圧接する弾力性のあるリップ６ａを形成したセッティングリング６と、筒部８の端部に外方に突出して設けられ壁面と当接するフランジ部１０とを備え、リップ６は他部より大きく外方へ膨出するつば部４を有するので、換気口１７に設けられたパイプ１６の内面に圧接するつば部４の変形度合いを、例えばパイプがＶＰ管の場合には大きく変形させ、ＶＰ管より内径の大きいＶＵ管の場合には小さく変形させることで、異なる内径の数種類のパイプに対しても一定の保持力を有する換気装置が提供できる。
【００３７】
また、リップ６ａは筒部８の全周に渡って形成され、筒部８に対して偏芯して形成されるので、換気口１７に設けられたパイプ１６の内面に圧接するつば部４の変形度合いを、例えばパイプがＶＰ管の場合には大きく変形し、ＶＰ管より内径の大きいＶＵ管の場合には小さく変形させることで、異なる内径の数種類のパイプに対しても一定の保持力を有して換気装置の取り付けが可能となり、パイプの内面にリップが密着してシールされるので気密性能または水密性能を向上させることができる。
【００３８】
また、本発明の実施の形態１の換気装置の取付方法によれば、セッティングリング６の略中央に形成された開口１から外方へ膨出するリップ６ａの他部より大きく膨出するつば部４を上側に位置させ、つば部４より膨出量の小さい舌部５を下側に位置させるように、セッティングリング６を換気装置の筒部８に装着し、換気口１７に設けられるパイプ１６に、つば部４を上側に、舌部５を下側になるようにして換気装置の筒部８を挿入し、リップ６ａをパイプ１６の内面に圧接させて換気装置を換気口１７に取り付けることにより、換気装置の筒部８をパイプ１６に挿入したとき、換気装置の自重によって押圧力が最も大きくなるパイプ１６内面の底部に膨出量の小さい舌部５が確実に圧接されるので、リップ６ａの変形量が過剰状態とならず、一定の保持性能を得られる換気装置の取り付けが可能となる。
【００３９】
（実施の形態２）
本発明の実施の形態１と同様の構成のリップを換気装置の筒部８の軸方向に並列するように複数個設けたセッティングリング６Ａを筒部８に装着する。筒部８をパイプ１６に挿入設置することにより、セッティングリング６Ａの周方向に形成されたリップがそれぞれ変形してパイプ１６内面を圧接し、複数個のリップが軸方向にパイプ１６と密着するので、水密性または気密性が向上し、さらにリップによる保持力が軸方向に及ぶので、換気装置の取付状態が安定したものとなる。
【００４０】
このように本発明の実施の形態２のセッティングリングによれば、セッティングリング６Ａに、軸方向に並列するように複数のリップを設けたので、複数のリップのパイプ１６内面への圧接のため保持性能を向上させるとともに、パイプ１６からの抜け止め機能を向上することとなる。
【００４１】
（実施の形態３）
図４に示す換気装置は、つば部４Ａおよび舌部５Ａからなるリップをパイプ１６への挿入方向と逆方向、つまり反換気口１７方向に傾斜させて形成したセッティングリング６Ｂを筒部２０に装着する屋外フード１９である。
【００４２】
上記構成において、パイプ１６に筒部２０を挿入するときには、リップはスムーズにパイプ１６内に進入し、所定の位置に納まった後は、筒部２０が抜ける方向には傾斜したリップが軸方向に対して垂直方向に起こされるような外力がリップに働くため、リップが引っかかりとなって筒部２０がパイプ１６から抜けにくい状態となり、換気装置のパイプ１６からの脱落を防止することができる。
【００４３】
このように本発明の実施の形態３の換気装置によれば、セッティングリング６Ｂのリップをパイプ１６への挿入方向と逆方向に傾斜させることにより、換気装置の筒部２０をパイプ１６に挿入するときの引っ掛かりがなく、スムーズに挿入動作が行え、さらに抜け止め効果により保持性能を向上させることができる。
【００４４】
【発明の効果】
以上の実施例から明らかなように、本発明のセッティングリングによれば、換気装置の筒部が挿入される略中央の開口と、この開口の周縁に形成され前記筒部に装着される基部と、この基部から外方へ膨出するリップとを備え、前記リップには他部より大きく膨出するつば部を形成したことにより、異なる内径の数種類のパイプに対しても一定の保持力を有して換気装置の取り付けが可能となる。
【００４５】
また、本発明のセッティングリングは、リップは開口の全周に渡って形成され、前記開口に対して偏芯して形成されることにより、気密性能または水密性能を向上させることができる。
【００４６】
また、本発明のセッティングリングは、開口をはさんでつば部の反対側には、前記つば部より膨出量の小さい舌部を形成し、前記つば部の膨出量は前記舌部の膨出量の３倍以上にしたことにより、換気装置のパイプへの挿入をスムーズに行うことができる。
【００４７】
また、本発明のセッティングリングは、セッティングリングをショアーＡ硬度４０度から６５度の弾性材料で形成することにより、換気装置の筒部をＶＰ管に挿入する場合は、リップを可能な限り変形させることができ、ＶＵ管に挿入する場合は、保持性能を高めるため硬度を維持させることができる最適な硬度を有するセッティングリングを提供することができる。
【００４８】
また、本発明のセッティングリングは、軸方向に並列するように複数のリップを設けたことにより、複数のリップのパイプ内面への圧接のため保持性能を向上させるとともに、換気装置のパイプからの抜け止め機能を有するセッティングリングを提供することができる。
【００４９】
また、本発明の換気装置は、換気通路を形成するために換気口に設けられるパイプに挿入される筒部と、この筒部に装着され、前記筒部を前記パイプに保持するように、外方に膨出し前記パイプの内面を圧接する弾力性のあるリップを形成したセッティングリングと、前記筒部の端部に外方に突出して設けられ壁面と当接するフランジ部とを備え、前記リップは他部より大きく外方へ膨出するつば部を有することにより、異なる内径の数種類のパイプに対しても一定の保持力を有する換気装置の取り付けが可能となる。
【００５０】
また、本発明の換気装置は、換気通路を形成するために換気口に設けられるパイプに挿入される筒部と、この筒部に装着される基部を有し、前記筒部を前記パイプに保持するように前記基部から外方に膨出し前記パイプの内面を圧接する弾力性のあるリップを有するセッティングリングと、前記筒部の端部に外方に突出して設けられ壁面と当接するフランジとを備え、前記リップは前記基部の全周に渡って形成され、前記筒部に対して偏芯して形成されることにより、パイプの内面にリップが密着してシールされるので気密性能または水密性能を向上させることができる。
【００５１】
また、本発明の換気装置は、リップをパイプへの挿入方向と逆方向に傾斜させることにより、換気装置の筒部をパイプに挿入するときの引っ掛かりがなく、スムーズに挿入動作が行え、さらに抜け止め効果により保持性能を向上させることができる。
【００５２】
また、本発明の換気装置の取付方法は、セッティングリングの略中央に形成された開口から外方へ膨出するリップの他部より大きく膨出するつば部を上側に位置させ、前記つば部より膨出量の小さい舌部を下側に位置させるように、前記セッティングリングを換気装置の筒部に装着し、換気口に設けられるパイプに、前記つば部を上側に、前記舌部を下側になるようにして換気装置の筒部を挿入し、前記リップをパイプの内面に圧接させて換気装置を換気口に取り付けることにより、換気装置の筒部をパイプに挿入したとき、換気装置の自重によって押圧力が最も大きくなるパイプ内面の底部に膨出量の小さい舌部が確実に圧接されるので、リップの変形量が過剰状態とならず、一定の保持性能を得られる換気装置の取り付けが可能となる。
【図面の簡単な説明】
【図１】本発明の実施の形態１のセッティングリングを示す正面図
【図２】同セッティングリングを換気扇の筒部に装着した状態を示す背面図
【図３】同セッティングリングを用いて換気扇をパイプに取り付けた状態を示す断面図
【図４】同セッティングリングを屋外フードの筒部に装着した状態を示す断面図
【図５】本発明の実施の形態２のセッティングリングを換気扇の筒部に装着した状態を示す断面図
【図６】本発明の実施の形態３のセッティングリングを屋外フードの筒部に装着した状態を示す断面図
【符号の説明】
１　　　　開口
２　　　　基部
４　　　　つば部
４Ａ　　　つば部
５　　　　舌部
５Ａ　　　舌部
６　　　　セッティングリング
６ａ　　　リップ
６Ａ　　　セッティングリング
６Ｂ　　　セッティングリング
８　　　　筒部
１０　　　フランジ部
１６　　　パイプ
１７　　　換気口
２０　　　筒部
【図１】
2004125239.tif 000003
【図２】
2004125239.tif 000004
【図３】
2004125239.tif 000005
【図４】
2004125239.tif 000006
【図５】
2004125239.tif 000007
【図６】
2004125239.tif 000008